(57)【特許請求の範囲】
【請求項１】
本体ケース（１２）内に対象物（１１）を固定する固定装置であって、
前記対象物を収納する収納空間（１２ｂ）が内部に形成されている前記本体ケースと、
前記収納空間に収納される前記対象物と、
前記収納空間に前記対象物が収納されている状態で、前記本体ケースと接触して前記収納空間を覆う蓋（１３）と、含み、
前記本体ケースには、突起（３１）および前記突起が係合する溝（２２）のいずれか一方が形成されており、
前記対象物には、前記突起および前記溝のいずれか他方が形成されており、
前記溝は、前記対象物を前記収納空間に収納する収納方向（Ｚ１）に延びる収納部分（２４）と、前記収納方向に交差する交差方向（Ｘ１）に延びる設置部分（２６）とを有し、
前記設置部分は、前記収納部分における前記収納方向の端部から前記交差方向に延び、
前記蓋は、前記収納空間を覆っている状態で前記対象物と接触する規制部（４４）を有し、
前記本体ケース内に前記対象物が固定された固定状態では、前記突起が前記設置部分に係合しており、
前記対象物は、前記本体ケースに対して前記交差方向とは反対方向への変位が前記規制部によって規制されている固定装置。
【請求項２】
前記収納部分は、傾斜部分（２５）をさらに有し、
前記傾斜部分は、前記収納方向に延びる前記収納部分の端部から、前記収納方向に進むにつれて前記交差方向に進むように傾斜する傾斜方向に延び、
前記設置部分は、前記傾斜部分における前記傾斜方向の端部から前記交差方向に延びる請求項１に記載の固定装置。
【請求項３】
前記溝は、前記収納空間を形成する側壁（２３）に複数、前記交差方向に間隔をあけて形成されており、
前記突起は、前記対象物の側面であって、前記収納方向および前記交差方向に延びる側面に複数、前記交差方向に間隔をあけて形成されており、
前記収納部分の一部には、前記交差方向に延びる平面（２７ａ）と前記交差方向とは反対方向への変位を規制する規制面（２７ｂ）とを有する段差部（２７）が形成されており、
前記対象物には、前記交差方向に交差する側面に凸部（３２）が形成されており、
前記本体ケースには、前記収納方向とは反対方向に支持部（２１）が形成されており、
前記段差部の前記平面に前記突起が配置されている状態では、前記凸部が前記支持部の前記収納方向とは反対方向に位置しており、前記凸部が形成されている側面とは反対側の側面を前記収納空間から前記収納方向とは反対方向に変位させる場合、前記凸部と前記支持部とが接触して支点となる請求項１または２に記載の固定装置。
【請求項４】
前記溝は、前記収納空間を形成する側壁に複数、前記交差方向に間隔をあけて形成されており、
前記突起は、前記対象物の側面であって、前記収納方向および前記交差方向に延びる側面に複数、前記交差方向に間隔をあけて形成されており、
前記対象物の前記突起が形成されている側面には突出部（３５）をさらに有し、
前記突出部は、
前記交差方向とは反対方向に進むにつれて、突出高さが大きくなるように形成されており、
前記突起が前記収納部分と係合している状態では、前記収納部分に対向した位置あり、前記溝が形成されている側壁に接触しておらず、
前記突起が前記設置部分に係合している前記固定状態では、前記収納空間の前記溝が形成されている側壁に接触している請求項１〜３のいずれか１つに記載の固定装置。
【請求項５】
前記突起は、円柱状である請求項１〜４のいずれか１つに記載の固定装置。
【発明の詳細な説明】
【技術分野】
【０００１】
本発明は、対象物を内部に固定する固定装置に関する。
【背景技術】
【０００２】
携帯端末およびカメラなど電池パックを有する機器では、電池パックが着脱可能に構成されている。電池パックは、本体ケースが有する格納部に格納される。そして格納した電池パックが容易に外れないように格納部に電池パックが固定されている。
【０００３】
電池パックを固定する固定構造としては、電池パックそのものを本体ケースで保持することで電池パックの飛び出し方向の力を本体で受ける構造がある（たとえば特許文献１参照）。また本体ケースでは保持せずに、電池パックを蓋で抑えて、蓋を本体ケースで保持する構造がある。蓋で抑える構造では、蓋によって電池パックが飛び出すことを防いでいる。
【０００４】
このような固定構造では、電池パックまたは蓋を本体ケースに組込んだ状態において、本体ケースが電池パックの飛出し方向の力を受ける向き、すなわち電池パックのストッパ部分が力を受ける向きは飛出し方向に対して垂直か接触角度が大きいことが望ましい。接触角度が浅いと滑りが生じるからである。
【０００５】
したがって、本体ケースに断面がＬ字型の溝を設け、電池パックもしくは蓋に設けた突起をＬ字型の溝に嵌めることで電池パックまたは蓋の飛び出し方向の力を垂直に受けている。
【先行技術文献】
【特許文献】
【０００６】
【特許文献１】特開平８−１６２０７７号公報
【発明の概要】
【発明が解決しようとする課題】
【０００７】
例えば車載の緊急通報装置のバックアップバッテリーなどおいて、車両搭載制約上、本体ケースの上方から電池パックを外し、蓋をしなければならない場合がある。さらに緊急通報装置では、車両に衝撃があった場合でも電池パックが本体ケースから飛出すことを確実に防ぐ必要がある。したがって緊急通報装置における電池パックの固定構造は、耐衝撃性が必要である。
【０００８】
前述の従来技術のように、蓋で電池パックの飛出し方向の力を受ける構造の場合、蓋をネジで本体ケースに締結するなどにより蓋と本体ケースとを強固に締結することができる。しかしネジ等の締結部材による締結は、コストアップおよび車内での電池交換の作業性の悪化を招く。
【０００９】
このような問題を解決するため、前述の従来技術のように、電池パックを本体ケースに保持させ、蓋には力が作用しないようにする構造がある。したがって蓋はスナップフィットでケース本体に固定される。この場合は、電池パックを本体ケースに固定させるため、本体ケースに溝またはピンを付けておき、電池パックにピンまたは溝をつける。そして電池パックを本体ケースへ入れ込み、その後、スライドさせて固定機能を持たせることができる。また、電池パックの取り外し時は逆の操作を行えば取り外し作業は可能である。
【００１０】
しかし、電池パックを本体ケースに押しつけた後に、電池パックをスライドさせる必要がある。スライドさせるためには、電池パックにスライドさせるためのつまみが必要である。しかし電池パックを押し込んだ後に、つまみを設けるスペースがない場合には、電池パックをスライドさせることが困難である。
【００１１】
そこで、本発明は前述の問題点を鑑みてなされたものであり、小型化でき、対象物を内部に固定することができる固定装置を提供することを目的とする。
【課題を解決するための手段】
【００１２】
本発明は前述の目的を達成するために以下の技術的手段を採用する。
【００１３】
本発明は、本体ケースと、収納空間（１２ｂ）に収納される対象物（１１）と、収納空間に対象物が収納されている状態で、本体ケースと接触して収納空間を覆う蓋（１３）と、含み、本体ケースには、突起（３１）および突起が係合する溝（２２）のいずれか一方が形成されており、対象物には、突起および溝のいずれか他方が形成されており、溝は、対象物を収納空間に収納する収納方向（Ｚ１）に延びる収納部分（２４）と、収納方向に交差する交差方向（Ｘ１）に延びる設置部分（２６）とを有し、設置部分は、収納部分における収納方向の端部から交差方向に延び、蓋は、収納空間を覆っている状態で対象物と接触する規制部（４４）を有し、本体ケース内に対象物が固定された固定状態では、突起が設置部分に係合しており、対象物は、本体ケースに対して交差方向とは反対方向への変位が規制部によって規制されている固定装置である。
【００１４】
このような本発明に従えば、本体ケース内に対象物が固定された固定状態では、突起が設置部分に係合している。これによって突起が収納方向およびその反対方向へ変位することが規制されている。さらに固定状態では、対象物は、本体ケースに対して交差方向とは反対方向への変位が蓋の規制部によって規制されている。これによって収納方向および交差方向への変位が規制されるので、確実に対象物を収納空間に固定することができる。
【００１５】
また対象物を固定する場合には、まず収納空間に対象物を溝の収納部分と突起とが係合するように位置調整する。次に、蓋を配置すると、蓋の規制部によって対象物が押されて、突起が交差方向に延びる設置部分に係合する。したがって対象物を収納空間に置き、蓋をするだけで対象物を固定することができる。これによって簡単な操作で対象物を固定することができる。また対象物を設置部分に配置するためにつまみおよび押下面などが必要ないので、小型化を実現することができる。
【００１６】
なお、前述の各手段の括弧内の符号は、後述する実施形態に記載の具体的手段との対応関係を示す一例である。
【図面の簡単な説明】
【００１７】
【図１】緊急通報装置１０を示す斜視図である。
【図２】バッテリ１１を取り付ける前の状態を示す。
【図３】バッテリ１１を収納空間１２ｂに配置した状態を示す。
【図４】蓋１３を取り付ける前の状態を示す。
【図５】バッテリ１１の取付け動作を説明するための図である。
【図６】蓋１３の組み付け動作を示す。
【図７】蓋１３の組み付け動作を示す。
【図８】緊急通報装置１０を拡大して示す斜視図である。
【図９】蓋１３の組み付け動作を示す。
【図１０】バッテリ１１の取外し動作を示す。
【図１１】バッテリ１１の取外し動作を示す。
【図１２】バッテリ１１の取外し動作を示す。
【図１３】バッテリ１１の取外し動作を示す。
【図１４】ピン３１および溝２２を拡大して示す。
【図１５】図１４の切断面線ＸＶから見て示す断面図である。
【発明を実施するための形態】
【００１８】
（第１実施形態）
本発明の第１実施形態に関して、図１〜図１５を用いて説明する。図１に示す車載の緊急通報装置１０は、自車の衝突事故といった緊急事態発生時に、通報先である緊急通報センタに緊急通報を行うための装置である。車両用緊急通報装置１０としては、例えばＤＣＭ（Data Communication Module）等のテレマティクスサービスに用いられる通信モジュールなどがある。
【００１９】
緊急通報装置１０は、メインバッテリおよびバックアップバッテリ１１から電力が供給される。メインバッテリは、車両の各電気負荷に電力を供給するメイン電源であり、エンジン始動時にはスターターに電力を供給する電源として使用することも可能である。さらに、メインバッテリは、緊急通報装置１０のメイン電源でもある。例えばメインバッテリは、鉛蓄電池からなる構成とすればよい。なお、自車両のアクセサリ（ＡＣＣ）電源がオンのときにメインバッテリからの電力供給が可能な状態となるものとしてもよい。
【００２０】
バックアップバッテリ１１は、メインバッテリの代替電源として少なくとも緊急通報装置１０に対して電力供給を行うサブ電源である。バッテリ１１は、たとえば交通事故などにより、メインバッテリそのものが破損したり、メインバッテリからの電力供給ラインが断線したりすることによって、メインバッテリからの電力供給が不可能になった場合に電源として機能する。バックアップバッテリ１１は、着脱可能な二次電池によって実現される。
【００２１】
バックアップバッテリ１１としては、例えば−３０℃程度から＋８５℃程度の温度環境下で動作可能であって、長寿命である二次電池が用いられる。バックアップバッテリ１１は、たとえばリチウムイオン二次電池およびリチウムイオンポリマー二次電池が用いられる。リチウムイオン二次電池などは、水よりも融点の低い有機溶媒を用いるため低温でも使用可能である。さらにリチウムイオン二次電池などは、ニカド電池やニッケル水素充電池等の他の二次電池に比べて自己放電特性が格段によく、長寿命である。またリチウムイオン二次電池などは、小型化が可能であって搭載上の制約が小さい。なお、バックアップバッテリ１１としてニッケル水素二次電池などのリチウムイオン二次電池およびリチウムイオンポリマー二次電池以外の二次電池を用いる構成であってもよい。
【００２２】
このようなバックアップバッテリ（以下、「バッテリ」ということがある）１１は、本体ケース１２に装着された後、蓋１３によってバッテリ１１が覆われている。これによってバッテリ１１の表面は露出せずに、本体ケース１２の内部に収納される。
【００２３】
このような緊急通報装置１０では、バッテリ１１の着脱および固定に関して、製品固有の制約などがある。
【００２４】
（１）本体ケース１２の上面にバッテリ１１の開口部１２ａがあり、本体ケース１２の上面から上方向にバッテリ１１を取り外さなくてはならない。
【００２５】
（２）本体ケース１２のサイズ制約のため、バッテリ１１に上方向に持ち上げるための取手を設けられない。したがって取手を摘まんでバッテリ１１を持ち上げる取り外し方法は適用できない。
【００２６】
（３）バッテリ１１を本体ケース１２に組込んだ状態で、バッテリ１１の側面から指でバッテリ１１を摘まむために必要な隙間を設けることができない。したがってバッテリ１１の外形を指で摘まんで、バッテリ１１を上方向に持ち上げる方法は適用できない。
【００２７】
（４）バッテリ１１を本体に組込んだ状態でバッテリ１１を動かすには、直方体状のバッテリ１１の４つの側面のうち、短辺の１面から、指で押す操作しかできない。したがってバッテリ１１を長手方向にスライドさせることしかできない。
【００２８】
（５）本体ケース１２に収納されているバッテリ１１の周囲は、バッテリ１１の収納空間１２ｂへの水の流れ込みを防ぐために、バッテリ１１より高い位置に止水リブ２１を設ける必要がある。したがってバッテリ１１をスライドさせるだけでは、バッテリ１１を止水リブ２１の高さより上に持ち上げる状態にはならない。（４）の制約によって、バッテリ１１を指１本でスライドさせるだけで上下方向の拘束を解除すると共に、バッテリ１１を上方向に押し上げ、そして指１本でバッテリ１１を収納空間１２ｂから起こすことができる構成が必要である。
【００２９】
（６）車載製品の場合、バッテリ１１と本体ケース１２とのガタをなくし異音を防止する必要がある。したがってバッテリ１１側のピン３１と本体ケース１２との間には隙間がないか、摺動が可能な程度に軽圧入させる必要がある。またバッテリ１１側のピン３１と本体ケース１２との接触部分を面接触にすると摩擦が大きくなりバッテリ１１をスライドさせることができない場合があるので、線接触が好ましい。
【００３０】
このような（１）〜（６）の制約を考慮した緊急通報装置１０におけるバッテリ１１の固定装置に関して説明する。固定装置は、バッテリ１１、本体ケース１２および蓋１３を含んで構成される。図２に示すように、バッテリ１１は、外形が直方体状、具体的には上面が平坦状であり、下面が半円状の長手状部品である。本体ケース１２には、バッテリ１１を収納する収納空間１２ｂが内部に形成されている。収納空間１２ｂは、図２および図３に示すように、バッテリ１１が収納空間１２ｂに収納されると、周囲に隙間がない、または隙間が小さい形状である。また蓋１３は、図１および図４に示すように、収納空間１２ｂにバッテリ１１が収納されている状態で、本体ケース１２と接触して収納空間１２ｂを覆う。
【００３１】
ここで直方体状のバッテリ１１が延びている方向を、長手方向Ｘと称する。長手方向Ｘのうち、バッテリ１１を装着する方向が取付方向Ｘ１であり、バッテリ１１を外す方向が取外し方向Ｘ２である。したがって取付方向Ｘ１と取外し方向Ｘ２とは、反対方向である。また長手方向Ｘと交差、本実施形態では直交する方向であって、バッテリ１１を装着および外す方向を上下方向Ｚと称する。上下方向Ｚのうち、バッテリ１１を収納空間１２ｂに取り付けるときの方向が下方向Ｚ１であり、収納空間１２ｂから取り外す方向が上方向Ｚ２である。したがって下方向Ｚ１と上方向Ｚ２とは、反対方向である。上下方向Ｚおよび長手方向Ｘと直交する方向は、幅方向Ｙと称する。
【００３２】
図５に示すように、バッテリ１１には、突起であるピン３１が形成されている。そして本体ケース１２には、ピン３１が係合する溝２２が形成されている。ピン３１は、バッテリ１１の側面であって、長手方向Ｘに延びる側面に複数、本実施形態では４つ、長手方向Ｘに間隔をあけて形成されている。ピン３１は、各側面に２個ずつ形成されている。ピン３１は、外形が円柱状であり、溝２２と線接触するように構成されている。
【００３３】
バッテリ１１には、取付方向Ｘ１側の端部にコード３３が設けられている。コード３３の先端には、コネクタ３４が接続されている。コネクタ３４は、本体ケース１２に設けられる接続部３０に接続されると、バッテリ１１から緊急通報装置１０に電力供給が可能となる。
【００３４】
溝２２は、収納空間１２ｂを形成する側壁２３に複数、本実施形態では４つ、長手方向Ｘに間隔をあけて形成されている。溝２２は、各側壁２３の２３の２個ずつ形成されている。溝２２は、図５および図８に示すように、下方向Ｚ１に延びる収納部分２４と、傾斜方向に延びる傾斜部分２５と、長手方向Ｘに延びる設置部分２６とを有する。したがって溝２２は、側面から見てＬ字状である。
【００３５】
溝２２のうち収納部分２４は、上方向Ｚ２に広く開放されており、下方向Ｚ１に進むにつれて間隔が狭くなるように形成されている。換言すると、溝２２の入口には、ピン３１と干渉しないように逃がし形状を形成している。これによってピン３１を溝２２の入口に導きやすく、またピン３１を溝２２の奥の方に容易に導くことができる。
【００３６】
溝２２のうち傾斜部分２５は、収納部分２４における下方の端部から傾斜方向に延びる。傾斜方向は、下方向Ｚ１に進むにつれて取付方向Ｘ１に進む方向である。傾斜部分２５は、収納部分２４と設置部分２６とを繋いでいる。
【００３７】
溝２２のうち設置部分２６は、傾斜部分２５における傾斜方向の端部から取付方向Ｘ１に延びる。設置部分２６のうち、少なくとも固定状態にてピン３１が配置される部分は、上下方向Ｚの間隔がピン３１の外形と同じか軽圧入が可能な寸法に設定される。
【００３８】
また溝２２の形状は、取付方向Ｘ１側の２つと、取外し方向Ｘ２側の２つとで形状が異なる。取外し方向Ｘ２側の２つには、段差部２７が形成されている。段差部２７は、収納部分２４の一部に形成されており、長手方向Ｘに延びる平面２７ａと取外し方向Ｘ２への変位を規制する規制面２７ｂとを有する。段差部２７の平面２７ａには、ピン３１が載置することができる長さを有する。
【００３９】
取外し方向Ｘ２側の２つの溝２２は、段差部２７が形成されているので、収納部分２４の長手方向Ｘの間隔が広がっている。これに対して、取付方向Ｘ１側の２つの溝２２の収納部分２４における長手方向Ｘの間隔は、ピン３１の外形よりもやや大きく設定されている。換言すると、取付方向Ｘ１側の上下方向Ｚに延びる収納部分２４は、ピン３１がぎりぎり通過できる程度に間隔を狭く設定している。
【００４０】
またバッテリ１１には、取外し方向Ｘ２側の側面であって、上下方向Ｚおよび幅方向Ｙを含む側面には、凸部３２が形成されている。凸部３２は、図５に示すように、側面の上方向Ｚ２側の端部に形成されており、取外し方向Ｘ２に突出するように形成されている。
【００４１】
そして図１２の（ｄ）の配置状態で示すように、本体ケース１２には、支持部となる止水リブ２１が形成されている。段差部２７の平面２７ａにピン３１が配置されている状態では、図１２に示すように、凸部３２が止水リブ２１の上方向Ｚ２に位置している。換言すると、バッテリ１１の上部に１箇所、止水リブ２１とオーバーラップする形で凸部３２が形成されている。
【００４２】
溝２２の傾斜部分２５は、凸部３２が止水リブ２１の直ぐ上に引っかかる状態で位置し、かつバッテリ１１が水平姿勢の状態のとき、すなわち図１２（ｅ）の状態のとき、ピン３１が位置する場所から傾斜部分２５の起点が形成されている。そしてバッテリ１１を取り外すために、取付方向Ｘ１側の側面を上方向Ｚ２に変位させる場合、凸部３２と止水リブ２１とが接触して支点となる。
【００４３】
蓋１３は、図４に示すように、板状であって、取付方向Ｘ１側の端部に係合爪４１を有し、取外し方向Ｘ２側の端部にスナップフィット部４２を有する。本体ケース１２の蓋１３によって覆われる部分のうち、取付方向Ｘ１側の端部には、係合爪４１に係合する係合凹部２８を有する。また本体ケース１２の蓋１３によって覆われる部分のうち、取外し方向Ｘ２側の端部には、スナップフィット部４２が係合する受け部２９を有する。
【００４４】
係合爪４１は、上下方向Ｚに対して傾斜する斜め方向から係合凹部２８に挿入可能であり、挿入された状態では、上下方向Ｚへの変位が規制されている。係合爪４１を係合凹部２８に挿入した状態で、係合爪４１側を支点として、蓋１３を下方向Ｚ１に回転させると、スナップフィット部４２が受け部２９に係合する。
【００４５】
スナップフィット部４２は、図６および図７に示すように、断面が略Ｕ字状に形成されており、弾性変形可能に構成されている。受け部２９は、スナップフィット部４２が弾性変形した状態で支持するように形状が選択されている。これによってスナップフィット部４２を受け部２９に挿入すると、スナップフィット部４２は弾性変形して受け部２９に挿入されて、スナップフィット部４２の弾性力によって受け部２９に固定される。
【００４６】
スナップフィット部４２には、取外し方向Ｘ２に突出する蓋用爪４３が形成されている。また受け部２９には、蓋用爪４３が挿通する挿通孔２９ａが形成されている。スナップフィット部４２が受け部２９に固定された状態では、蓋用爪４３が挿通孔２９ａの内部に配置される。これによってスナップフィット部４２の長手方向Ｘの間隔が小さくなるように弾性変形させないと、蓋用爪４３が挿通孔２９ａから抜けない。したがってスナップフィット部４２が受け部２９に固定されている状態では、上下方向Ｚの変位が蓋用爪４３および挿通孔２９ａによって規制されている。
【００４７】
収納空間１２ｂの周囲には、上方向Ｚ２に延びる止水リブ２１が形成されている。止水リブ２１は、下方向Ｚ１に見て、収納空間１２ｂを囲うように配置されている。止水リブ２１における上方の端部は、図３に示すように、バッテリ１１が収納空間１２ｂに配置された状態では、バッテリ１１の上面よりも上方に位置する。また蓋１３の下面には、止水リブ２１に嵌合する止水溝４５が形成されている。蓋１３を装着すると、止水リブ２１が止水溝４５に嵌合し、防水性が確保される。
【００４８】
また蓋１３には、図７および図８に示すように、収納空間１２ｂを覆っている状態でバッテリ１１と接触する規制部４４を有する。規制部４４は、蓋１３の下面に下方向Ｚ１に突出するように形成されている。また規制部４４は、幅方向Ｙに間隔をあけて２つ設けられている。規制部４４は、長手方向Ｘおよび上下方向Ｚに延びる表面を有する板状に形成されている。規制部４４は、下方向Ｚ１に向かうにつれて、長手方向Ｘの寸法が小さくなる先細り形状である。規制部４４の先端は、たとえば円弧状に形成される。規制部４４は、前述のように蓋１３を下方向Ｚ１に回転させると、先端がバッテリ１１の取外し方向Ｘ２側の端部３６に接触し、バッテリ１１を取付方向Ｘ１側にスライド変位するように押圧することができる。
【００４９】
またバッテリ１１には規制部４４が接触する端部３６は、側面に見て、Ｒ面取りが施されている。これによって規制部４４が接触しても、バッテリ１１に引っかかることなく、円滑に取付方向Ｘ１に押圧される。したがって本体ケース１２内にバッテリ１１が固定された固定状態では、ピン３１が設置部分２６に係合している。そしてバッテリ１１は、本体ケース１２に対して取外し方向Ｘ２への変位が規制部４４によって規制されている。
【００５０】
また蓋１３には，図８に示すように、収納空間１２ｂを覆っている状態で本体ケース１２に接触する三角リブ４６を有する。三角リブ４６は、蓋１３の取外し方向Ｘ２側に突出し、上下方向Ｚに延びるように形成されている。三角リブ４６は、取外し方向Ｘ２側に向かうにつれて幅方向Ｙの寸法が小さくなるように先細り形状に形成されている。具体的には、三角リブ４６を上下方向Ｚに見た断面形状は、三角状である。また三角リブ４６は、幅方向Ｙに間隔をあけて２つ設けられている。蓋１３が閉まっている状態では、三角リブ４６は、本体ケース１２の内壁に線接触している。
【００５１】
次に、固定する際の動作に関して、図９に示すように段階的に説明する。バッテリ１１を固定する際は、まず図２に示すように、収納空間１２ｂの上方向Ｚ２からバッテリ１１を収納方向である下方向Ｚ１に変位させる。するとピン３１が、図５に示すように、溝２２の収納部分２４を通過し、傾斜部分２５に配置される。するとバッテリ１１の自重によって傾斜部分２５を滑り、設置部分２６の取外し方向Ｘ２側に配置される。換言すると、バッテリ１１を溝２２に落とし込むだけで、バッテリ１１は重力に従い溝２２の奥の設置部分２６の入口まで配置される。またこの状態で、図３に示すように、コネクタ３４が接続部３０に接続される。このような状態から、図５に示すように、次の段階としてバッテリ１１を取付方向Ｘ１に変位させる必要がある。
【００５２】
そこで図９に段階的に示すように、蓋１３の係合爪４１と本体ケース１２の係合凹部２８に挿入して、蓋１３を下方向Ｚ１に回転させる。するとスナップフィット部４２が受け部２９に弾性変形しながら進入すると同時に、図９の（ｃ）の配置状態で、規制部４４の先端がバッテリ１１に接触する。そしてそのまま蓋１３が下方向Ｚ１に回転させると、規制部４４によってバッテリ１１が押されて、ピン３１が溝２２の設置部分２６に沿って変位し、ピン３１が設置部分２６の最も奥側の位置に配置される。
【００５３】
さらにこの状態で、スナップフィット部４２が受け部２９に固定される。したがって規制部４４もバッテリ１１を取付方向Ｘ１に押圧した状態で固定される。これによってバッテリ１１は、取外し方向Ｘ２への変位が規制部４４によって規制される。またバッテリ１１の上下方向Ｚの変位は、設置部分２６によって規制される。そして図１に示すように、蓋１３によって収納空間１２ｂも覆われる。
【００５４】
次に、バッテリ１１を取り外す際の動作に関して、図１０〜図１３を用いて説明する。バッテリ１１を取り外す際には、先ず蓋１３を取り外す。蓋１３を取り外すためには、スナップフィット部４２を弾性変形させて、係合爪４１と挿通孔２９ａから離脱させる。すると蓋１３の固定が解除されるので、蓋１３を取り外すことができる。
【００５５】
次に、バッテリ１１の取付方向Ｘ１側の側面１１ａを、図３に示すように、取外し方向Ｘ２側に押圧する。すると、図１０に示すように、蓋１３の規制部４４がないので、ピン３１が溝２２の設置部分２６を取外し方向Ｘ２側に変位し、段差部２７の平面２７ａにピン３１が配置される。平面２７ａにピン３１が配置されている状態では、取付方向Ｘ１側のピン３１は、図１２（ｄ）に示すように、溝２２の収納部分２４に配置されている。したがって取付方向Ｘ１のピン３１は、取外し方向Ｘ２にスライドされて上下方向Ｚの拘束が解除されているので、バッテリ１１の取付方向Ｘ１側の端部１１ｂを上方向Ｚ２に持ち上げることができる。換言すると、段差部２７にピン３１を配置することで、取付方向Ｘ１のピン３１が位置決めされて、持ち上げる軌跡を描くことができる。そしてバッテリ１１の取付方向Ｘ１側の端部１１ｂを上方向Ｚ２に持ち上げると、取外し方向Ｘ２側の止水リブ２１の先端と凸部３２とが支点となって、図１０に示すように回転させることができ、バッテリ１１を取り外すことができる。
【００５６】
図１１にて取り外す動作を段階的に説明すると、固定状態において、蓋１３を外した状態では、図１１（ａ）に示すように、ピン３１が溝２２の設置部分２６に圧入されている状態にある。そこで図１１（ｂ）、（ｃ）のようにバッテリ１１の側面１１ａを取外し方向Ｘ２に押圧して、取外し方向Ｘ２側にスライド変位させると、図１２（ｄ）のようにピン３１が段差部２７に配置される。したがって作業者が指先などをつかってバッテリ１１を取外し方向Ｘ２に押すだけで、ピン３１が傾斜部分２５に沿って変位して、段差部２７の規制面２７ｂに突き当たる。したがってピン３１は、段差部２７の平面２７ａに配置されて、安定して止めることができる。また段差部２７にピン３１が配置されて状態では、止水リブ２１と凸部３２とを上下方向Ｚに近接している。
【００５７】
次に、取付方向Ｘ１側の端部１１ｂを図１２（ｅ）のように持ち上げると、止水リブ２１の先端に凸部３２が引っかかって、支点となって、回転させることができる。これによって取付方向Ｘ１側に位置するピン３１が溝２２から徐々に図１２（ｆ）のように離脱する。
【００５８】
さらに回転させて、図１３（ｇ）、（ｈ）、（ｉ）のように変位して、バッテリ１１の取付方向Ｘ１側の端部１１ｂが収納空間１２ｂから離脱するので、この状態になると、作業者はバッテリ１１の全体を指でつかんで、取り外すことができる。
【００５９】
またピン３１が形成されている側面には、図１４に示すように、ピン３１に近接した位置に突出部３５が形成されている。突出部３５は、図１５に示すように、ピン３１と同様に、長手方向Ｘに間隔をあけて、バッテリ１１の側面に２個ずつ形成されている。突出部３５は、側面から外側に突出するように形成されている。また突出部３５は、ピン３１から上方向Ｚ２に延びるように形成されている。さらに突出部３５は、図１５に示すように、下方に見て断面が半円状に形成されている。したがって突出部３５の取付方向Ｘ１側の表面は、取外し方向Ｘ２に進むにつれて、突出高さが大きくなるように形成されている。また半円状であるので、突出部３５と側壁２３とは線接触となる。
【００６０】
そして、図１１（ｃ）に示すように、ピン３１が収納部分２４と係合している状態では、突出部３５は収納部分２４に対向した位置にあり、溝２２が形成されている側壁２３に接触していない。また図１１（ａ）に示すように、ピン３１が設置部分２６に係合している固定状態では、突出部３５は収納空間１２ｂの溝２２が形成されている側壁２３に接触している。
【００６１】
また側壁２３には、図１５に示すように、テーパ２３ａが形成されている。テーパ２３ａは、溝２２の取付方向Ｘ１側であって、取付方向Ｘ１に進むにつれて、収納空間１２ｂの幅方向Ｙの間隔が小さくなるように傾斜している。これによって取り付ける際に、取付方向Ｘ１にバッテリ１１が変位すると、突出部３５がバッテリ１１の側面と収納空間１２ｂの側壁２３との隙間を埋めるように進入する。また突出部３５の先端は円弧状であるので、突出部３５の先端と側壁２３とは線接触となる。これによって突出部３５が線接触しながら円滑に取付方向Ｘ１に進み、軽圧入される。この結果、固定状態では、突出部３５の先端が側壁２３に接触しているので、バッテリ１１の幅方向Ｙの変位を抑制することができる。
【００６２】
以上説明したように本実施形態の固定装置は、本体ケース１２内にバッテリ１１が固定された固定状態では、ピン３１が設置部分２６に係合している。これによってピン３１が上下方向Ｚへ変位することが規制されている。さらに固定状態では、バッテリ１１は、本体ケース１２に対して取外し方向Ｘ２への変位が蓋１３の規制部４４によって規制されている。これによって上下方向Ｚおよび長手方向Ｘへの変位が規制されるので、確実にバッテリ１１を収納空間１２ｂに固定することができる。
【００６３】
またバッテリ１１を固定する場合には、まず収納空間１２ｂにバッテリ１１を溝２２の収納部分２４とピン３１とが係合するように位置調整する。次に、蓋１３を配置すると、蓋１３の規制部４４によってバッテリ１１が押されて、ピン３１が交差方向である取付方向Ｘ１に延びる設置部分２６に係合する。したがってバッテリ１１を収納空間１２ｂに置き、蓋１３をするだけでバッテリ１１を固定することができる。これによって簡単な操作でバッテリ１１を固定することができる。またバッテリ１１を設置部分２６に配置するためにつまみおよび押下面などが必要ないので、小型化を実現することができる。
【００６４】
換言すると、バッテリ１１を組付け時、バッテリ１１を本体ケース１２の溝２２に入れ込むだけで、図５で矢印Ｉで示すように、重力により電池が傾斜部分２５の下端、すなわち設置部分２６の入口まで移動する。そして、蓋１３を閉めるだけで、バッテリ１１が取付方向Ｘ１に押されて、図５で矢印ＩＩで示すように、所定の固定位置に移動する。これにより、組付け時は、『組付け時に電池を溝２２内に落とし込む』→『蓋１３を閉める』の２アクションでバッテリ１１の組付けと蓋１３の組付けまで行うことができる。また取り外し時は指１本でバッテリ１１を浮かせて、取り外すことができる。さらにバッテリ１１は周囲を固定されているので、衝撃に伴うバッテリ１１の飛び出しとガタツキによる異音防止の両立を実現できる。
【００６５】
具体的には、上下方向Ｚの衝撃は、ピン３１が設置部分２６に圧入されているので、バッテリ１１が離脱することを防ぐことができる。また長手方向Ｘの衝撃は、ピン３１が取付方向Ｘ１は設置部分２６の奥の閉塞によって規制され、取外し方向Ｘ２は規制部４４によって規制されている。したがってバッテリ１１が離脱することを防ぐことができる。また幅方向Ｙの振動は、突出部３５と側壁２３によって変位が規制されているので、バッテリ１１の離脱を防ぐことができる。
【００６６】
さらに蓋１３は、スナップフィット部４２が受け部２９に弾性力によって固定されているので、蓋１３が上下方向Ｚの衝撃によって外れることをスナップフィット部４２の弾性力によって抑制している。さらに蓋１３は、止水リブ２１と止水溝４５とが嵌合しているので、幅方向Ｙおよび長手方向Ｘの変位が規制されている。したがって蓋１３が衝撃によって外れることを抑制している。
【００６７】
また本実施形態では、前述の（１）〜（６）の制約を満たしている。具体的には、固定装置は、（１）の制約である本体ケース１２の上面にバッテリ１１の開口部１２ａがあり、本体ケース１２の上面から上方向Ｚ２に電池を取り外す構成である。
【００６８】
また固定装置は、（２）の制約のとおり、つまみなどが不要な構成である。さらに固定装置は、（３）の制約のとおり、バッテリ１１の側面に指が入るような隙間がない構成である。
【００６９】
また固定装置は、（４）の制約のとおり、固定状態から取外し方向Ｘ２にだけ押圧によって変位させることができる。これによって取り外すことができる。また固定装置は、（５）の制約のとおり、止水リブ２１が設けられているが、バッテリ１１の凸部３２を止水リブ２１に引っかけて回転させることによって、バッテリ１１を持ち上げることができる。
【００７０】
さらに固定装置は、（６）の制約のとおり、ピン３１は円柱状であるので、溝２２とピン３１とが線接触する構成である。これによって摩擦を小さくすることができ、取付および取外す作業を円滑に行うことができる。
【００７１】
さらに本実施形態では、溝２２が傾斜部分２５を有する。傾斜部分２５を有するので、溝２２の収納部分２４にピン３１を配置することによって、重力によって設置部分２６の入口まで傾斜部分２５に沿って変位させることができる。これによって設置部分２６の入口へのピン３１の位置決めを容易にすることができる。
【００７２】
また本実施形態では、収納部分２４には、段差部２７が形成されている。そしてバッテリ１１には、凸部３２が形成されており、固定状態では凸部３２は上下方向Ｚにおいて止水リブ２１の先端と近接した位置で対向している。これによってバッテリ１１を取り外すときに、ピン３１を段差部２７の平面２７ａの安定した位置に配置し、そこから回転させることによって、凸部３２が止水リブ２１に引っかかって回転の支点にすることができる。これによって回転が容易となり、バッテリ１１の取外し作業を容易にすることができる。
【００７３】
さらに本実施形態では、バッテリ１１の側面には、突出部３５が形成されている。突出部３５は、固定状態では、収納空間１２ｂを形成する側壁２３に接触する。これによって突出部３５は、収納空間１２ｂの側壁２３とバッテリ１１の側面との隙間を埋めることができる。したがって幅方向Ｙの変位を規制することができる。また突出部３５は、ピン３１が溝２２の収納部分２４にあるときは、収納空間１２ｂの側壁２３とは離間した位置となるように、突出部３５が形成される位置が選択されている。これによってバッテリ１１が固定状態となる前に突出部３５が側壁２３と接触して、取付および取外し操作の妨げになることを抑制することができる。
【００７４】
（その他の実施形態）
以上、本発明の好ましい実施形態について説明したが、本発明は上述した実施形態に何ら制限されることなく、本発明の主旨を逸脱しない範囲において種々変形して実施することが可能である。
【００７５】
上記実施形態の構造は、あくまで例示であって、本発明の範囲はこれらの記載の範囲に限定されるものではない。本発明の範囲は、特許請求の範囲の記載によって示され、さらに特許請求の範囲の記載と均等の意味及び範囲内での全ての変更を含むものである。
【００７６】
前述の第１実施形態では、ピン３１は、円柱状であったが、円柱状に限るものではなく、他の形状、たとえば多角形状であってもよく、円錐状および多角錘状であってもよい。またピン３１および溝２２の数は、４つであったが、４つに限るものではなく、少なくとも１つあればよい。
【００７７】
前述の第１実施形態では、ピン３１はバッテリ１１に形成され、溝２２が収納空間１２ｂの側壁２３に形成されているが、このような構成に限るものではない。いずれか一方にピン３１が形成され、いずれか他方に溝２２が形成されていればよい。したがってバッテリ１１に溝２２を形成し、ピン３１を収納空間１２ｂの側壁２３に形成してもよい。
【００７８】
前述の第１実施形態では、溝２２は傾斜部分２５を有する構成であるが、傾斜部分２５を有さない形状、すなわち溝２２が収納部分２４と設置部分２６とが直交する形状であってもよい。このような溝２２の場合は、設置部分２６が収納部分２４における下方の端部から取付方向Ｘ１に延びる。
【００７９】
前述の第１実施形態では、バッテリ１１を緊急通報装置１０に固定する固定装置であったが、緊急通報装置１０の本体ケース１２およびバッテリ１１に限るものではなく、対象物を本体ケース内に固定する構造であればよい。したがって、たとえば対象物は、回路基板などの電子装置であってもよく、ギヤボックスなどの機械的部品であってもよい。
【符号の説明】
【００８０】
１０…緊急通報装置  １１…バッテリ（対象物）  １２…本体ケース
１２ｂ…収納空間  １３…蓋  １５…固定装置  ２１…止水リブ（支持部）
２２…溝  ２３…側壁  ２３ａ…テーパ  ２４…収納部分  ２５…傾斜部分
２６…設置部分  ２７…段差部  ２７ａ…平面  ２７ｂ…規制面  ２８…係合凹部
２９…受け部  ２９ａ…挿通孔  ３１…ピン（突起）  ３２…凸部  ３５…突出部
４１…係合爪  ４２…スナップフィット部  ４３…蓋用爪  ４４…規制部
【図１】
0006361623.tif 000002
【図２】
0006361623.tif 000003
【図３】
0006361623.tif 000004
【図４】
0006361623.tif 000005
【図５】
0006361623.tif 000006
【図６】
0006361623.tif 000007
【図７】
0006361623.tif 000008
【図８】
0006361623.tif 000009
【図９】
0006361623.tif 000010
【図１０】
0006361623.tif 000011
【図１１】
0006361623.tif 000012
【図１２】
0006361623.tif 000013
【図１３】
0006361623.tif 000014
【図１４】
0006361623.tif 000015
【図１５】
0006361623.tif 000016